(57)【特許請求の範囲】
【請求項１】
ロール紙の仮置き部と、ロール紙ホルダとを有するロール紙使用装置に設けられ、仮置き状態のロール紙をロール紙ホルダの軸部の高さ位置まで持ち上げてロール芯の芯口と前記軸部との位置合わせを可能にするロール紙持上げ装置であって、
水平姿勢で上昇及び下降し、前記ロール紙の外周面が載置されるロール紙載置部材と、
前記仮置き部に対して第１の支点を中心に回動可能な状態で設けられ、前記ロール紙載置部材に動力を伝達する操作レバーと、
一端側が前記仮置き部に対してスライド可能に連結され、他端側が前記ロール紙載置部材の一端部にスライド可能に連結され、前記仮置き部との連結位置と前記ロール紙載置部材との連結位置との間において前記レバーに対して回動可能に連結される回動支点を有する棒状体と、を備えることを特徴とするロール紙持上げ装置。
【請求項２】
ロール紙の仮置き部と、ロール紙ホルダとを有するロール紙使用装置に設けられ、仮置き状態のロール紙をロール紙ホルダの軸部の高さ位置まで持ち上げてロール芯の芯口と前記軸部との位置合わせを可能にするロール紙持上げ装置であって、
水平姿勢で上昇及び下降し、前記ロール紙の外周面が載置されるロール紙載置部材と、
前記ロール紙載置部材と前記仮置き部とを連結する２本の回動アームと、を備え、
前記回動アームの一つが、前記仮置き部に対して第１の支点を中心に回動可能な状態で設けられ、前記ロール紙載置部材に動力を伝達する操作レバーであり、
前記操作レバーの前記第１の支点から自由端側に所定長さ離れた位置に前記ロール紙載置部材と回動可能に連結される第１の連結支点を有し、前記操作レバーの第１の支点から所定距離離れた位置の前記仮置き部上に前記回動アームの他の一つと回動可能に連結される第２の連結支点を有し、前記ロール紙載置部材の第１の連結支点から所定距離離れた位置に前記回動アームの他の一つと回動可能に連結される第３の連結支点を有し、前記第１の支点から第１の連結支点までの長さと前記第２の連結支点から第３の連結支点までの長さが等しく、前記第１の支点から前記第２の連結支点までの距離と前記第１の連結支点から前記第３の連結支点までの距離が等しくなるように設定されていることを特徴とするロール紙持上げ装置。
【請求項３】
ロール紙の仮置き部と、ロール紙ホルダとを有する記録装置であって、
仮置き状態のロール紙をロール紙ホルダの軸部の高さ位置まで持ち上げてロール芯の芯口と前記軸部との位置合わせを可能にするロール紙持上げ装置を備え、
前記ロール紙持上げ装置は、請求項１又は２に記載されたロール紙巻上げ装置であることを特徴とする記録装置。
【発明の詳細な説明】
【技術分野】
【０００１】
本発明は、ロール紙ホルダを有するロール紙使用装置におけるロール紙の仮置き部に設けられ、前記仮置き部上のロール紙をロール紙ホルダの軸部の高さ位置まで持ち上げてロール心の芯口と前記軸部との位置合わせを可能にするロール紙持上げ装置及び該ロール紙持上げ装置を備える記録装置に関するものである。
【背景技術】
【０００２】
大型インクジェットプリンター等の記録装置では、下記の特許文献１に示すようにロール紙の重量が重いことから、ロール紙を一旦、記録装置の仮置き台に置いてから、記録装置に取り付けられているロール紙ホルダに装着するようにしている。
【０００３】
従来は、前記ロール紙を仮置き台に置いてから、ロール紙ホルダの軸部の高さ位置まで、ユーザーが手で約２〜５ｃｍ程度持ち上げてロール心の芯口と前記軸部との位置合わせを行い、それからロール紙ホルダを軸方向に水平にスライドさせて前記軸部を前記芯口に装着していた。
【先行技術文献】
【特許文献】
【０００４】
【特許文献１】特開２００９−２３１７１号公報
【発明の概要】
【発明が解決しようとする課題】
【０００５】
しかし、ロール紙の重量は２０〜３０ｋｇ、更に４０ｋｇ、５０ｋｇのものまであり、このようなロール紙の高重量化に伴い、前記人手によるロール紙の持上げ作業をユーザーに委ねることは、ユーザーに重労働を強いることになるという問題が顕在化してきた。
【０００６】
本発明の課題は、ロール紙の高重量化に対応して重量の重いロール紙であっても、ユーザーが重労働無くロール紙ホルダにロール紙を装着できるようにすることにある。
【課題を解決するための手段】
【０００７】
上記課題を解決するために本発明の第１の態様は、ロール紙の仮置き部と、ロール紙ホルダとを有するロール紙使用装置に設けられ、仮置き状態のロール紙をロール紙ホルダの軸部の高さ位置まで持ち上げてロール芯の芯口と前記軸部との位置合わせを可能にするロール紙持上げ装置であって、水平姿勢で上昇及び下降し、前記ロール紙の端部外周面が載置するロール紙載置部材と、前記ロール紙載置部材の上昇及び下降時の水平姿勢を保持する水平保持機構と、前記水平保持機構を介して前記ロール紙載置部材に動力を伝達する操作レバーとを備え、前記操作レバーは、前記仮置き部に設けられている第１の支点を中心に回動可能な状態で設けられていることを特徴とするものである。
【０００８】
ここで、「ロール紙」とは、ロール芯の周りにロール状に巻かれた用紙のことを一般に意味するが、本明細書では、ロール芯を含めたものも「ロール紙」と定義することにする。また「用紙」の中には、普通紙、専用紙、写真用の光沢紙の他、ポリエステルフィルム等の樹脂フィルムを含み、更に紙の範囲を越えて布等も含む意味で用いている。これにより表現の複雑化を避けている。  
用紙の厚さも例えば０．３ｍｍ、１．３ｍｍというように種々の厚さのものが含まれる。また、「ロール芯」には大型インクジェットプリンターで一般的に使用されている２インチ紙管と３インチ紙管が含まれる。
【０００９】
本態様によれば、水平姿勢のロール紙載置部材の上昇及び下降時における当該水平姿勢を保持する水平保持機構が設けられているので、ロール紙載置部材上のロール紙は傾斜することなく、水平姿勢を保ってロール紙ホルダの軸部の高さ位置まで移動することができる。  
そして、ロール紙ホルダの軸部の高さ位置に到達したロール紙は、水平姿勢のロール紙載置部材上を簡単に転がることができるので、ユーザーは小さな力でロール紙を転がして、該ロール紙のロール芯の芯口と前記軸部との位置合わせを行うことが可能となる。従ってユーザーは、重労働無くロール紙ホルダにロール紙をセットすることが可能になる。
【００１０】
また、ユーザーがロール紙を仮置き部からロール紙ホルダの軸部の高さ位置まで持ち上げる作業を第１の支点を中心に回動する操作レバーを使用して実行するようにしたので、てこの原理により小さな力でロール紙を持ち上げることができる。この場合、ロール紙載置部材とロール紙の接点が作用点になり、操作レバーを握る位置が力点になるから、第１の支点から力点までの回転半径を第１の支点から作用点までの回転半径より大きくする程より小さな力でロール紙を持ち上げることが可能になる。
【００１１】
本発明の第２の態様は、前記第１の態様に係るロール紙持上げ装置において、前記水平保持機構は、前記操作レバーと棒状体とを備え、前記操作レバーの第１の支点寄りの位置に前記棒状体と回動可能に連結される回動支点を有し、前記棒状体の一端側は前記仮置き部に対してスライド可能に連結され、前記棒状体の他端側は前記水平姿勢をとるロール紙載置部材の一端部にスライド可能に連結され、前記ロール紙載置部材の他端部は前記操作レバーの前記回動支点の位置より自由端側の位置に回動可能に連結されていることを特徴とするものである。
【００１２】
本態様によれば、水平保持機構が、操作レバーと棒状体とが交差するロール紙載置部材と仮置き部とを含めた４節交差リンク機構によって形成されるので、操作レバーを第１の支点を中心に回動させることによってロール紙載置部材の水平姿勢を保持した状態でロール紙をロール紙ホルダの軸部の高さ位置まで上昇させることが可能になる。  
また、棒状体の一端側は仮置き部に対してスライド可能に連結され、棒状体の他端側は水平姿勢をとるロール紙載置部材の一端部にスライド可能に連結されているので、操作レバーは棒状体によって回動を妨げられることなく円滑に回動し、ロール紙載置部材上のロール紙をほぼ真上に移動させることができる。
【００１３】
本発明の第３の態様は、前記第１の態様に係るロール紙持上げ装置において、前記水平保持機構は、前記水平姿勢をとるロール紙載置部材と、前記ロール紙載置部材と前記仮置き部とを連結する２本の回動アームと、を備える４節平行リンク機構によって構成されており、前記回動アームの１本が前記操作レバーを兼ねており、前記操作レバーの第１の支点から自由端側に所定長さ離れた位置に前記ロール紙載置部材と回動可能に連結される第１の連結支点を有し、前記操作レバーの第１の支点から所定距離離れた位置の前記仮置き部上に前記回動アームの他の１本と回動可能に連結される第２の連結支点を有し、前記ロール紙載置部材の第１の連結支点から所定距離離れた位置に前記回動アームの他の１本と回動可能に連結される第３の連結支点を有し、前記第１の支点から第１の連結支点までの長さと前記第２の連結支点から第３の連結支点までの長さが等しく、前記第１の支点から前記第２の連結支点までの距離と前記第１の連結支点から前記第３の連結支点までの距離が等しくなるように設定されていることを特徴とするものである。
【００１４】
本態様によれば、水平保持機構が、操作レバーと回動アームとロール紙載置部材と仮置き部とを備えた４節平行リンク機構によって形成されるので、操作レバーを第１の支点を中心に回動させることによってロール紙載置部材の水平姿勢を保持した状態でロール紙をロール紙ホルダの軸部の高さ位置まで上昇させることが可能になる。
【００１５】
また、４節平行リンク機構の場合には、ロール紙載置部材に連結されている第１の連結支点と第３の連結支点が操作レバーの回動方向に応じて前後に移動するため、ロール紙載置部材上のロール紙は、ロール紙持上げ時に斜め上方に向けて移動するようになる。  
従って、ロール紙がロール紙ホルダに装着された位置における該ロール紙の真下の領域には当該ロール紙は構造的に至らないので、前記真下の領域には、前記ロール紙持上げ装置が配置されている箇所を除いて、他の構造部材を設ける設計が可能となり、ロール紙周りの設計の自由度を高めることができる。  
例えば、両端をロール紙ホルダに保持されている状態のロール紙に対して、その中央付近に接触して巻き弛みを防止する部材、或いはロール紙の重さを支えるローラ等の支え部材等を設けることが可能となる。
【００１６】
本発明の第４の態様は、ロール紙の仮置き部と、ロール紙ホルダとを有する記録装置であって、仮置き状態のロール紙をロール紙ホルダの軸部の高さ位置まで持ち上げてロール芯の芯口と前記軸部との位置合わせを可能にするロール紙持上げ装置を備え、該ロール紙持上げ装置は、前記第１の態様から第３の態様のいずれか一つに記載されたロール紙巻上げ装置であることを特徴とするものである。
【図面の簡単な説明】
【００１７】
【図１】本発明に係るロール紙持上げ装置の第１の実施例を示す斜視図。
【図２】同上、下降位置（Ａ）と上昇位置（Ｂ）を示す側面図。
【図３】本発明の第２の実施例を示す下降位置（Ａ）と上昇位置（Ｂ）を示す側面図。
【図４】本発明の第３の実施例を示す下降位置（Ａ）と上昇位置（Ｂ）を示す側面図。
【図５】本発明の第４の実施例を示す下降位置（Ａ）と上昇位置（Ｂ）を示す側面図。
【図６】本発明の他の実施例を示す下降位置（Ａ）と上昇位置（Ｂ）を示す側面図。
【発明を実施するための形態】
【００１８】
以下、図１、図２に示す第１の実施例と、図３に示す第２の実施例と、図４に示す第３の実施例と、図５に示す第４の実施例とを例にとって、本発明のロール紙持上げ装置１の構造とロール紙Ｒを持ち上げる時の作動態様と、ロール紙Ｒをロール紙ホルダ３に装着するまでの作業手順について具体的に説明する。  
尚、本発明に係る実施例のロール紙持上げ装置１は、ロール紙ホルダ３を有する大型インクジェットプリンター等の記録装置におけるロール紙Ｒ用の仮置き台５に対して設けられる。尚、ロール紙持上げ装置１は仮置き台５の周辺の他の構造部材に設けてもよい。
【００１９】
図１に示すように、本実施例の仮置き台５は、ロール紙Ｒを仮置きした時にロール紙Ｒが落下しない間隙を隔てて平行に配設されている２本の棒体（断面円形の丸棒）７Ａ、７Ｂを備えている。そして、該棒体７Ａ、７Ｂには、ロール紙ホルダ３を取り付ける基部となる二つのベース部８Ａ、８Ｂがスライド可能に被設されている。ロール紙の幅寸法の違いに対して、該ベース部７Ａ、７Ｂを適宜スライド移動することにより、前記幅寸法の違いに容易に対応することが可能である。  
また、ロール紙ホルダ３は、ロール紙Ｒの両端部を保持する向い合わせで一対配設されている保持部材である。このうち少なくとも一方のロール紙ホルダ３は、ロール紙Ｒの幅寸法の違いに対応して用紙幅方向Ｂにスライドできるように構成されている。
【００２０】
ロール紙ホルダ３は、ロール紙Ｒの端面に接してロール紙Ｒを保持するフランジ部９と、ロール紙Ｒのロール芯１１の芯口１２に内嵌してロール紙Ｒを保持する軸部１３と、を備えることによって基本的に構成されている。  
尚、前記フランジ部９は、ロール紙Ｒの最大直径よりも直径の大きな円板状、前記軸部１３はロール紙Ｒのロール芯１１の芯口１２に挿入可能な直径の丸棒状の部材によって一例として構成されている。
【００２１】
そして、本発明のロール紙持上げ装置１は、水平姿勢で上昇及び下降するロール紙載置部材１５と、前記ロール紙載置部材１５の上昇及び下降時の水平姿勢を保持する水平保持機構１７と、前記水平保持機構１７を介して前記ロール紙載置部材１５に動力を伝達する操作レバー１９と、を備えることによって基本的に構成されている。  
また、前記操作レバー１９は、前記仮置き台５を成す棒体７Ｂのベース部８Ｂに設けられている第１の支点２１を中心に回動可能な状態で設けられており、該操作レバー１９の自由端側の部位がユーザーが直接、操作レバー１９を握って操作レバー１９に力を伝える力点Ｐになっている。
【００２２】
［第１の実施例］（図１、図２参照）
第１の実施例に係るロール紙持上げ装置１Ａは、水平保持機構１７Ａが操作レバー１９Ａと棒状体２３Ａとを備えている。そして、前記操作レバー１９Ａの第１の支点２１寄りの位置に前記棒状体２３Ａと回動可能に連結される回動支点２５を有し、前記棒状体２３Ａの一端２３ａ側は前記仮置き台５のベース部８Ａに対してスライド可能に連結され、前記棒状体２３Ａの他端２３ｂ側は前記水平姿勢をとるロール紙載置部材１５Ａの一端部１５ａにスライド可能に連結されている。前記ロール紙載置部材１５Ａの他端部１５ｂは前記操作レバー１９Ａの前記回動支点２５の位置より自由端側の位置２７に回動可能に連結されている。
【００２３】
具体的には、図１に示すように、前記棒状体２３Ａの一端２３ａ側には一例として側方に張り出す軸部２９が設けられており、前記仮置き台５には、前記軸部２９と係合する一例として長穴状の溝部３１が形成されている。従って、前記溝部３１の長さの範囲で前記軸部２９は前後方向に所定ストローク、スライドできるように構成されている。  
また、前記棒状体２３Ａの他端２３ｂ側には一例として円板状の突起３３が設けられており、前記ロール紙載置部材１５Ａの一端部１５ａの一例として下面には、前記突起３３と係合する凹部３５が形成されている。従って、前記突起３３は前記凹部３５に摺接しながら前記ロール紙載置部材１５Ａに沿って所定ストローク、スライドできるように構成されている。
【００２４】
そして、このような構造の第１の実施例に係るロール紙持上げ装置１Ａでは、交差して配置される操作レバー１９Ａと、棒状体２３Ａと、これらに連結されるロール紙載置部材１５Ａと、仮置き台５と、によって４節交差リンク機構が形成されているから、操作レバー１９Ａを第１の支点２１を中心に回動させることによって、ロール紙載置部材１５Ａの水平姿勢を保持した状態で、ロール紙Ｒを図２（Ａ）（Ｂ）に示すようにロール紙ホルダ３の軸部１３の高さ位置Ｈまで上昇させることが可能になる。
【００２５】
また、この場合図２（Ｂ）に示すように、ロール紙載置部材１５Ａとロール紙Ｒの接点が作用点Ｑになり、第１の支点２１から力点Ｐまでの回転半径ｒ１が第１の支点２１から作用点Ｑまでの回転半径ｒ２より大きいから、ユーザーはより小さな力でロール紙Ｒを持ち上げることが可能になる。  
そして、ロール紙Ｒが図２（Ｂ）に示す上昇位置に達したら、ユーザーは図２（Ｂ）中に矢印で示すように、ロール紙Ｒをロール紙載置部材１５Ａ上で転がしてロール紙ホルダ３の軸部１３の存する前後位置Ｙと一致させてからロール紙Ｒをロール紙ホルダ３側に押し込めば、或いはロール紙ホルダ３をスライドさせることによって、一方のロール紙ホルダ３に対するロール紙Ｒの装着が完了する。同様の操作で他方のロール紙ホルダ３にロール紙Ｒの他方の端部を装着すれば、ロール紙ホルダ３に対するロール紙Ｒの両端のセットが終了し、ロール紙Ｒは印刷可能な水平姿勢となる。
【００２６】
［第２の実施例］（図３参照）
第２の実施例に係るロール紙持上げ装置１Ｂは、前記第１の実施例に係るロール紙持上げ装置１Ａと同様、交差して配置される操作レバー１９Ｂと棒状体２３Ｂと、これらに連結されるロール紙載置部材１５Ｂと、仮置き台５と、によって４節交差リンク機構が形成されている実施例である。  
このロール紙持上げ装置１Ｂの構造は、前述したロール紙持上げ装置１Ａの構造と基本的に同様であり、ここでは前記第１の実施例と相違する第２の実施例特有の構造に絞って説明する。
【００２７】
具体的には、前記第１の実施例における棒状体２３Ａの一端２３ａに設けられていた軸部２９に代えて、第２の実施例における棒状体２３Ｂの一端２３ａには、回動可能なヒンジ部３７ａを介して仮置き台５の２本の棒体７Ａ、７Ｂ間に架け渡されたガイドロッド４０に沿ってスライドするスライダー３９ａが設けられている。また、前記第１の実施例において前記軸部２９と係合する溝部３１が仮置き台５には設けられておらず、当該溝部３１の機能を前記スライダー３９ａと摺接するガイドロッド４０の摺接部４１ａが担っている。
【００２８】
また、前記第１の実施例における棒状体２３Ａの他端２３ｂに設けられていた突起３３に代えて、第２の実施例における棒状体２３Ｂの他端２３ｂには、回動可能な他のヒンジ部３７bを介してロール紙載置部材１５Ｂに沿ってスライドする他のスライダー３９ｂが設けられている。また、前記第１の実施例において前記突起３３と係合する凹部３５が第２の実施例におけるロール紙載置部材１５Ｂには設けられておらず、当該凹部３５の機能を前記スライダー３９ｂと摺接するロール紙載置部材１５Ｂの摺接部４１ｂが担っている。
【００２９】
そして、このような構造の第２の実施例に係るロール紙持上げ装置１Ｂによっても、前記第１の実施例と同様の作用、効果が得られ、ロール紙Ｒ持ち上げ時のユーザーの負担が軽減されている。  
また、ロール紙Ｒの持ち上げからロール紙ホルダ３への装着までの作業手順も前記第１の実施例と同様に実行される。
【００３０】
［第３の実施例］（図４参照）
第３の実施例に係るロール紙持上げ装置１Ｃは、操作レバー１９Ｃと回動アーム４３ｂと、ロール紙載置部材１５Ｃと、仮置き台５と、を４節平行リンク機構として配置した実施例である。  
このロール紙持上げ装置１Ｃの構造は、次に示す通りであり、操作レバー１９Ｃの回動動作をロール紙載置部材１５Ｃの水平姿勢を保持した状態での上昇、下降動作に変換している点については、前記第１の実施例と同様である。
【００３１】
具体的には、水平保持機構１７Ｃが水平姿勢をとるロール紙載置部材１５Ｃと、該ロール紙載置部材１５Ｃと前記仮置き台５とを連結する２本の回動アーム４３ａ、４３ｂと、を備える４節平行リンク機構によって構成されており、前記回動アームの１本４３ａが操作レバー１９Ｃを兼ねている。  
そして、前記操作レバー１９Ｃの第１の支点２１から自由端側に所定長さＬ離れた位置に前記ロール紙載置部材１５Ｃと回動可能に連結される第１の連結支点４５を有し、前記操作レバー１９Ｃの第１の支点２１から所定距離Ｓ離れた位置の前記仮置き台５上に前記回動アームの他の１本４３ｂと回動可能に連結される第２の連結支点４７を有している。
【００３２】
また、前記ロール紙載置部材１５Ｃの第１の連結支点４５から所定距離Ｓ離れた位置に前記回動アームの他の１本４３ｂと回動可能に連結される第３の連結支点４９を有し、前記第１の支点２１から第１の連結支点４５までの長さＬと前記第２の連結支点４７から第３の連結支点４９までの長さＬが等しく、前記第１の支点２１から前記第２の連結支点４７までの距離Ｓと、前記第１の連結支点４５から前記第３の連結支点４９までの距離Ｓが等しくなるように設定されている。
【００３３】
そして、このような構造の第３の実施例に係るロール紙持上げ装置１Ｃの場合には、ロール紙載置部材１５Ｃ上のロール紙Ｒがロール紙Ｒの持ち上げ時に斜め上方に向けて移動するようになるが、前記第１の実施例と同様、ロール紙載置部材１５Ｃの水平姿勢を保持した状態でロール紙Ｒをロール紙ホルダ３の軸部１３の高さ位置Ｈまで上昇させることが可能である。  
従って、本実施例によっても前記第１の実施例と同様の作用、効果が得られ、ロール紙Ｒ持ち上げ時のユーザーの負担が軽減される。また、ロール紙Ｒの持ち上げからロール紙ホルダ３への装着までの作業手順も前記第１の実施例と同様に実行される。
【００３４】
また、本実施例の場合、ロール紙Ｒがロール紙ホルダ３に装着された位置における該ロール紙Ｒの真下の領域には、当該ロール紙Ｒはその上昇及び下降工程で構造的に至らないので、前記真下の領域には、前記ロール紙持上げ装置１が配置されている箇所を除いて、他の構造部材を設ける設計が可能となる。例えば、両端をロール紙ホルダ３に保持されている状態のロール紙Ｒに対して、その中央付近に接触して巻き弛みを防止する部材、或いはロール紙Ｒの重さを支えるローラ等の支え部材等を設けることが可能となる。
【００３５】
［第４の実施例］（図５参照）
第４の実施例に係るロール紙持上げ装置１Ｄは、水平保持機構１７Ｄから操作レバー１９Ｄを切り離し、操作レバー１９Ｄを動力伝達部材としてのみ使用するようにしたものである。  
尚、水平保持機構１７Ｄとしては、前記第１の実施例で採用した４節交差リンク機構を一例として採用しており、操作レバー１９Ｄの第１の支点２１を操作レバー１９Ｄの先端部５１ではなく、該先端部５１から幾分、自由端側に移動した位置に設けると共に前記先端部５１をロール紙載置部材１５Ｄの一例として下面に当接させることでロール紙載置部材１５Ｄに動力を伝えることができるように構成されている。
【００３６】
尚、水平保持機構１７Ｄは、回動支点２５で交差する２本の棒状体５３、５５と、水平姿勢のロール紙載置部材１５Ｄと、仮置き台５の２本の棒体７Ａ、７Ｂ間に架け渡されているレール部材５７と、を備えることによって構成されている。  
また、前記レール部材５７の上面と前記ロール紙載置部材１５Ｄの下面にはガイド溝５９ａ、５９ｂがそれぞれレール部材５７とロール紙載置部材１５Ｄに沿うように形成されている。そして、交差する２本の棒状体５３、５５の一端５３ａ、５５ａ側には、前記ガイド溝５９ａに嵌まって転動するコロ６１ａ、６３ａがそれぞれ設けられており、交差する２本の棒状体５３、５５の他端５３ｂ、５５ｂ側には、前記ガイド溝５９ｂに嵌まって転動するコロ６１ｂ、６３ｂがそれぞれ設けられている。
【００３７】
そして、このような構造の第４の実施例に係るロール紙持上げ装置１Ｄによっても、前記第１の実施例と同様の作用、効果が得られ、ロール紙Ｒ持ち上げ時のユーザーの負担が軽減される。また、ロール紙Ｒの持ち上げからロール紙ホルダ３への装着までの作業手順も前記第１の実施例と同様に実行される。
【００３８】
［他の実施例］
本発明に係るロール紙持上げ装置１は、以上述べたような構成を基本とするものであるが、本願発明の要旨を逸脱しない範囲内の部分的構成の変更や省略等を行うことは勿論可能である。  
例えば、図６に示すように、前記第１の実施例で採用した突起３３を棒状体２３Ｅの一端２３ａ側と他端２３ｂ側の両方に設け、前記第１の実施例で採用した軸部２９と溝部３１を省略することも可能である。この場合には、２つの突起３３ａ、３３ｂはベース部８Ａの上面とロール紙載置部材１５Ｅ下面の凹部３５とに摺接することで前後方向に移動することになる。
【００３９】
また、前記第４の実施例で採用した水平保持機構１７Ｄから独立させた操作レバー１９Ｄを前記第３の実施例で採用した４節平行リンク機構の水平保持機構１７Ｃの動力伝達手段として使用することが可能である。  
また、水平保持機構１７としては、前述した実施例の構造以外にも種々の構造が採用可能であり、カム機構やラックピニオン機構等を適用した水平保持機構１７とすることも可能である。また、ロール紙使用装置としては、実施例で説明した記録装置はその一例であり、記録装置に限定されない。
【符号の説明】
【００４０】
１  ロール紙持上げ装置、  ３  ロール紙ホルダ、  ５  仮置き台、
７Ａ  棒体、７Ｂ  棒体、  ８Ａ  ベース部、  ８Ｂ  ベース部、
９  フランジ部、  １１  ロール芯、  １２  芯口、  １３  軸部、
１５  ロール紙載置部材、  １５ａ  一端部、  １５ｂ  他端部、
１７  水平保持機構、  １９  操作レバー、  ２１  第１の支点、  ２３  棒状体、
２３ａ  一端、  ２３ｂ  他端、  ２５  回動支点、  ２７（自由端側の）位置、
２９  軸部、  ３１  溝部、  ３３  突起、  ３５  凹部、  ３７  ヒンジ部、
３９  スライダー、  ４０  ガイドロッド、  ４１  摺接部、  ４３  回動アーム、
４５  第１の連結支点、  ４７  第２の連結支点、  ４９  第３の連結支点、
５１  先端部、  ５３  棒状体、  ５５  棒状体、  ５７  レール部材、
５９  ガイド溝、  ６１  コロ、  ６３  コロ、  Ｒ  ロール紙、  Ｂ  用紙幅方向、
Ｐ  力点、  Ｑ  作用点、  Ｈ  高さ位置、  ｒ１  回転半径、  ｒ２  回転半径、
Ｙ  前後位置、  Ｌ  長さ、  Ｓ  距離
【図１】
0005569327.tif 000002
【図２】
0005569327.tif 000003
【図３】
0005569327.tif 000004
【図４】
0005569327.tif 000005
【図５】
0005569327.tif 000006
【図６】
0005569327.tif 000007